(57)【要約】      （修正有）【課題】ロールスクリーンの動作中に、アンテナがロールスクリーンに巻き込まれることを回避でき、アンテナの断線や破損を有効に防止することができる電動ロールスクリーン用モーターストロークヘッドを提供する。【解決手段】電源スイッチ３２及び信号を入出力するコントローラー３３に電気的に接続されるＰＣＢ基板３４が内部に設けられるケースを有し、さらに、位置規制装置が設けられる。リモート制御信号を受信するためのアンテナ４は、ケース内に巻かれるとともに、位置規制装置によって位置規制され、かつ／又は固定される。アンテナをケース内に巻いて位置規制装置で位置規制し、かつ／又は固定することで、アンテナを完全にモーターストロークヘッド内に隠蔽して、モーターストロークヘッドの外部へアンテナを露出させない。【選択図】図４
0003228553.tif 000002
【実用新案登録請求の範囲】
【請求項１】
電源スイッチ、及び信号を入出力するコントローラーに電気的に接続されるＰＣＢ基板が内部に設けられるケースを有する電動ロールスクリーン用モーターストロークヘッドであって、
さらに、位置規制装置が設けられ、
リモート制御信号を受信するためのアンテナは、ケース内に巻かれるとともに、位置規制装置によって位置規制され、及び／又は固定される、ことを特徴とする電動ロールスクリーン用モーターストロークヘッド。
【請求項２】
前記位置規制装置は、少なくとも、前記ケースの周方向に設けられる位置規制ピンである、ことを特徴とする請求項１に記載の電動ロールスクリーン用モーターストロークヘッド。
【請求項３】
前記位置規制ピンは、前記ケースの底部に接続され、かつ、前記ＰＣＢ基板を貫通する、ことを特徴とする請求項２に記載の電動ロールスクリーン用モーターストロークヘッド。
【請求項４】
前記位置規制装置は、少なくとも、前記ケースの周方向に設けられるクリップである、ことを特徴とする請求項１に記載の電動ロールスクリーン用モーターストロークヘッド。
【請求項５】
前記クリップの接続部は、前記ケースの底部に接続され、かつ、前記ＰＣＢ基板を貫通する、ことを特徴とする請求項４に記載の電動ロールスクリーン用モーターストロークヘッド。
【請求項６】
前記位置規制装置は、少なくとも、前記ＰＣＢ基板又は前記ケースの底面に設けられるリング状の位置規制溝、又はＵ形の位置規制溝である、ことを特徴とする請求項１に記載の電動ロールスクリーン用モーターストロークヘッド。
【請求項７】
前記位置規制装置は、少なくとも、前記ＰＣＢ基板又は前記ケースの底面に設けられるリング状の位置規制板、又はＵ形の位置規制板である、ことを特徴とする請求項１に記載の電動ロールスクリーン用モーターストロークヘッド。
【請求項８】
前記ＰＣＢ基板にはパワー・データモジュールが集積され、前記ケースには対応するパワー・データポートが設けられ、前記ＰＣＢ基板にはモード設定回路が集積され、前記ケースには対応するモード設定ボタンが設けられる、ことを特徴とする請求項１に記載の電動ロールスクリーン用モーターストロークヘッド。
【請求項９】
前記ケースは、電磁信号を遮蔽しない材料で製造されるケース、及び／又は電磁漏れ可能な隙間を有するケースを含む非電磁シールドケースである、ことを特徴とする請求項１に記載の電動ロールスクリーン用モーターストロークヘッド。
【請求項１０】
請求項１〜９のいずれか１項に記載の電動ロールスクリーン用モーターストロークヘッドを備え、
前記モーターストロークヘッドは、電動ロールスクリーンロールスクリーンのバーの少なくとも一端に設けられる、ことを特徴とする電動ロールスクリーン。
【考案の詳細な説明】
【技術分野】
【０００１】
本考案は、ロールスクリーンに関し、特に電動ロールスクリーン分野に関する。  
【背景技術】
【０００２】
「電動ロールスクリーン」は、管状のモーターを動力とする一種の電動化ロールスクリーン機構であり、ロールスクリーンのバー及びロールスクリーンの生地を含み、モーターがロールスクリーンのバー内に直接に取り付けられ、カーテンの筐体の体積及び力の伝達ルートを減少するとともに、外部からモーターへの影響を回避することができ、機構の信頼性を向上させる。電動ロールスクリーンが動作する時、機構が稼働の時に受ける力が均一であり、回転がスムーズであり、ロールスクリーンの生地及び機構の寿命に有利である。そして、ロールスクリーンのバーによってロールスクリーンの生地に対する同時制御を図り、生地を常に面一にし、建物のファサードを飾るとともに建物のファサードをより揃えるようにする。電動ロールスクリーンのモーターを容易に制御するために、電動ロールスクリーンをリモート制御するように、モーターストロークヘッド内に信号の送信、信号の受信、電源スイッチ等のモジュールが整合される。リモート制御をより良好に行うために、電動ロールスクリーンのモーターストロークヘッド上にアンテナが設けられる必要がある。従来技術において、アンテナは、多くの場合にモーターストロークヘッドの外部に設けられ、つまり、アンテナがロールスクリーンの生地の巻きストロークに露出し、これに起因して、ロールスクリーンの生地が巻かれる時に外部に設けられているアンテナがロールスクリーンの生地内に非常に巻き込まれやすくなり、アンテナの損害、断線等の問題を起こしてしまい、最終的にアンテナが無効化になり、リモート制御が故障してしまう。
【考案の概要】
【０００３】
上記した技術問題を解決するために、本考案は、内部にアンテナが設けられ、アンテナがロールスクリーンの生地に巻き込まれることを防止してアンテナを保護するモーターストロークヘッドを提供する。
本考案のもう１つの目的は、内部にアンテナが搭載される電動ロールスクリーンを提供することである。
【０００４】
本考案の技術案は、電動ロールスクリーン用モーターストロークヘッドを提供し、当該電動ロールスクリーン用モーターストロークヘッドは、電源スイッチ、及び信号を入出力するコントローラーに電気的に接続されるＰＣＢ基板が内部に設けられるケースを有し、さらに、位置規制装置が設けられ、リモート制御信号を受信するためのアンテナは、ケース内に巻かれるとともに、位置規制装置によって位置規制され、及び／又は固定される。
【０００５】
上述構成を採用すると、アンテナをケース内に巻いて位置規制装置で位置規制し及び／又は固定することで、アンテナを完全にモーターストロークヘッド内に隠蔽して、モーターストロークヘッドの外部へアンテナを露出させず、これにより、ロールスクリーンの動作中に、アンテナがロールスクリーンに巻き込まれることを回避し、アンテナの断線や破損を有効に防止し、製品の使用寿命を向上させる。
さらに、位置規制装置の第１タイプの設置形態は、ケースの周方向に設けられる位置規制ピンである。
また、位置規制ピンは、ケースの底部に接続され、かつ、ＰＣＢ基板を貫通する。
さらに、位置規制装置の第２タイプの設置形態は、ケースの周方向に設けられるクリップである。
また、クリップの接続部は、ケースの底部に接続され、かつ、ＰＣＢ基板を貫通する。
【０００６】
さらに、位置規制装置の第３タイプの設置形態は、ＰＣＢ基板又はケースの底面に設けられる位置規制溝であり、当該位置規制溝は、リング状の溝であってもよく、開口のＵ形の溝であってもよい。
【０００７】
さらに、位置規制装置の第４タイプの設置形態は、ＰＣＢ基板又はケースの底面に設けられる位置規制板であり、当該位置規制板は、リング状の板であってもよく、ある箇所に開口するＵ形の溝であってもよい。
位置規制装置は、上記した４つのタイプの設置形態における任意の1種類又は数種類であってもよい。
さらに、ＰＣＢ基板には、さらに、パワー・データモジュールが集積され、ケースには対応するパワー・データポートが設けられる。
さらに、ＰＣＢ基板にはモード設定回路が集積され、ケースには対応するモード設定ボタンが設けられる。
さらに、ケースは、電磁信号を遮蔽しない材料で製造されるもの、及び／又は電磁漏れ可能な隙間を有するものを含む非電磁シールドケースである。
【０００８】
さらに、電磁信号を遮蔽しない材料は、例えば、プラスチック、ゴム、ＷＰＣ材などを選択してもよく、これらの材料は、絶縁体、及び／又は非磁性体である。  
【図面の簡単な説明】
【０００９】
【図１】従来技術における電動ロールスクリーンの構成を模式的に示す図である。
【図２】図１におけるＡ箇所を模式的に示す局部拡大図である。
【図３】本考案におけるモーターストロークヘッドの構成を模式的に示す図である。
【図４】本考案におけるモーターストロークヘッドの内部構成を模式的に示す図である。
【図５】本考案におけるモーターストロークヘッドに備えられる他の１種類の位置規制装置の内部構成を模式的に示す図である。
【図６】本考案におけるモーターストロークヘッドのさらに他の１種類の位置規制装置の構成を模式的に示す図である。
【図７】本考案におけるモーターストロークヘッドのさらに他の１種類の位置規制装置の構成を模式的に示す図である。
【図８】本考案におけるモーターストロークヘッドの第４種類の位置規制装置の構成を模式的に示す図である。
【図９】本考案におけるモーターストロークヘッドの第４種類の位置規制装置の構成を模式的に示す図である。
【図１０】本考案におけるモーターストロークヘッドが設けられているロールスクリーン構成を模式的に示す図である。
【図１１】図１０におけるＢ箇所を模式的に示す局部拡大図である。
【考案を実施するための形態】
【００１０】
以下、具体的な実施的形態を参照しながら、本考案についてより詳細に説明する。
本考案の記述において、「中心」、「縦方向」、「横方向」、「長さ」、「幅」、「厚さ」、「上」、「下」、「前」、「後」、「左」、「右」、「垂直」、「水平」、「頂」、「底」、「内」、「外」、「時計回り」、「反時計回り」、「軸方向」、「径方向」、「周方向」等の方位又は位置関係を示す用語は、単に本考案について説明の便宜上、かつ説明を簡略するためのものであり、かかる装置又は素子が必ずしも特定な方位に位置して特定な方位構造及び操作を有することを明示する、又は暗示するものではないため、本考案を制限するものではないと理解すべきである。
【００１１】
なお、「第１」、「第２」の用語は、説明するためのものにすぎず、比較的重要であることを明示する、又は暗示することではなく、示される構成要素の数量ことを暗示的に示すことでもないと理解すべきである。これにより、「第１」、「第２」と限定された要素は少なくとも１つの要素を含むこと明示する、又は暗示することができる。本考案の記述において、「複数」とは、特に明確に具体的な限定をしない限り、少なくとも２つを意味し、例えば２つ、３つなどである。
【００１２】
本考案において、特に明確に制限及び限定しない限り、「取付け」、「繋ぎ」、「接続」、「固定」等の用語は広い定義で解釈されるべきであり、特に明確に限定しない限り、例えば、固定して接続されてもよく、装着可能に接続されてもよく、或いは、一体化となってもよく、また、機械的に接続されてもよく、電気的に接続されてもよく、さらに、直接に繋いでもよく、中間媒体を介して間接に繋いてもよく、２つの素子の内部の連通或いは２つ素子の相互の作用関係であってもよい。当業者にとって、具体的な状況に応じて、上記用語の本考案での具体的な定義を理解することができる。
【００１３】
本考案において、特に明確に制限及び限定しない限り、第１要素が第２要素の「上」又は「下」にあることは、第１及び第２要素が直接に接触してもよく、第１及び第２要素が中間媒体を介して接触してもよい。さらに、第１要素が第２要素の「上」、「上方」又は「その上」にあることは、第１要素が第２要素の真上又は斜め上に位置し、或いは、単に第１要素の水平方向における高さが第２要素より高いことを意味する場合がある。第１要素が第２要素の「下」、「下方」又は「その下」にあることは、第１要素が第２要素の真下又は斜め下に位置し、或いは、単に第１要素の水平方向における高さが第２要素より低いことを意味する場合がある。
【００１４】
従来の電動ロールスクリーンの外部にアンテナが搭載される形態は、図１〜２に示されるように、図１は従来技術における電動ロールスクリーン構成を模式的に示す図であり、図２は図１におけるＡ箇所を模式的に示す局部拡大図であり、図１〜２からわかるように、リモート制御の距離を増やすためのアンテナ４は、その一端がモーターストロークヘッド内に接続され、他端がモーターストロークヘッドのケース３の外部に設けられ、外に露出されているアンテナは、ロールスクリーン２との距離が非常に近く、ロールスクリーンの巻き動作を起動すると、アンテナをロールスクリーンに巻き込んでアンテナを損傷してしまい、リモート制御を故障させてしまうおそれがある。
【００１５】
本考案はモーターストロークヘッドを提供する。図３は本考案におけるモーターストロークヘッドの構成を模式的に示す図であり、図４は本考案におけるモーターストロークヘッドの内部構成を模式的に示す図であり、図５は本考案におけるモーターストロークヘッドの他の１種類の位置規制装置の内部構成を模式的に示す図であり、図６、７は本考案におけるモーターストロークヘッドのさらに他の１種類の位置規制装置の構成を模式的に示す図であり、図８、９は本考案におけるモーターストロークヘッドの第４種類の位置規制装置の構成を模式的に示す図であり、図１０は本考案におけるモーターストロークヘッドが設けられているロールスクリーン構成を模式的に示す図であり、図１１は図１０におけるＢ箇所を模式的に示す局部拡大図である。
【００１６】
図３至９に示されるように、本考案のモーターストロークヘッドは、内部にＰＣＢ基板３４が設けられるケース３を含み、ＰＣＢ基板３４には電源スイッチ３２、及び信号を入出力するコントローラー３３が電気的に接続され、さらに、位置規制装置が設けられている。リモート制御信号を受信するためのアンテナ４はケース３内に巻かれて位置規制装置によって位置規制され、及び／又は固定される。
【００１７】
上記構成を採用すると、アンテナ４をケース３内に巻いて位置規制装置で位置規制し及び／又は固定することで、アンテナ４を完全にモーターストロークヘッド内に隠蔽して、モーターストロークヘッドの外部へ当該アンテナ４を露出させない。これにより、ロールスクリーン２の動作中に、アンテナ４がロールスクリーン２に巻き込まれることを回避し、アンテナ４の断線や破損を有効に防止し、製品の使用寿命を向上させる。
【００１８】
さらに改善された実施例として、位置規制装置は、ケース３の周方向に沿って設けられる位置規制ピン３１ａであり、図４に示されるように、本実施例において、位置規制ピン３１ａは３つであり、ケース３の周方向において均等に分布されているが、ＰＣＢ基板３４上の各種のモジュールによって設けて分布されてもよい。アンテナ４は、位置規制ピン３１ａを支点として位置規制ピン３１ａの外周に巻かれている。位置規制ピン３１ａは、ＰＣＢ基板３４と一体化に成形するようにＰＣＢ基板３４に直接に設けられてもよく、ＰＣＢ基板３４上に溶接されてもよく、又は、図４に示されるように、ケース３の底部に接続されてＰＣＢ基板３４を貫通するように構成されてもよい。最後の当該設置形態を採用することは好ましく、なぜなら、ケース３の底部に接続されてＰＣＢ基板３４を貫通する位置規制ピン３１ａはＰＣＢ基板を位置決めて固定する機能も果たすことができるためである。
【００１９】
さらに改善された実施例として、位置規制装置は、ケース３の周方向に沿って設けられるクリップ３１ｂであり、図５に示されるように、本実施例において、クリップ３１ｂは３つであり、ケース３の周方向において均等に分布されているが、ＰＣＢ基板３４上の各種のモジュールによって設けて分布されてもよい。アンテナ４は、クリップ３１ｂの接続部を支点としてクリップ３１ｂの接続部の外周に巻かれるとともに、クリップの係止部によって一層固定される。クリップ３１ｂは、ＰＣＢ基板３４と一体化に成形するようにＰＣＢ基板３４に直接に設けられてもよく、ＰＣＢ基板３４上に溶接されてもよく、クリップ３１ｂの接続部は、図５に示されるように、ケース３の底部に接続されてＰＣＢ基板３４を貫通するように構成されてもよい。最後の当該設置形態を採用することは好ましく、なぜなら、ケース３の底部に接続されてＰＣＢ基板３４を貫通するクリップ３１ｂの接続部はＰＣＢ基板３４を位置決めて固定する機能も果たすことができるためである。
【００２０】
さらに改善された実施例として、図６に示されるように、位置規制装置はＰＣＢ基板３４上又はケース３の底面に設けられるリング状の位置規制溝３１ｃであり、リング状の位置規制溝３１ｃは、通常のリングであってもよく、不規則なリングであってもよい。なお、図７に示されるように、位置規制装置は、ＰＣＢ基板３４上又はケース３の底面に設けられるＵ形の位置規制溝３１ｃ’であってもよい。アンテナ４はリング状の位置規制溝３１ｃ又はＵ形の位置規制溝３１ｃ’に沿って溝内に巻かれる。
【００２１】
さらに改善された実施例として、図８に示されるように、位置規制装置は、ＰＣＢ基板上又はケース３の底面に設けられるリング状の位置規制板３１ｄであり、リング状の位置規制板３１ｄは、通常のリングであってもよく、不規則なリングであってもよい。なお、図９に示されるように、位置規制装置は、ＰＣＢ基板３４上又はケース３の底面に設けられるＵ形の位置規制板３１ｄ’であってもよい。アンテナ４はリング状の位置規制板３１ｄ又はＵ形の位置規制板３１ｄ’の周方向に沿って巻かれており、その巻き位置は、リング状の位置規制板３１ｄ又はＵ形の位置規制板３１ｄ’の任意の側壁であってもよい。
【００２２】
上記した４種類の位置規制装置は、単独に設けられてもよく、組み合わせて設けられてもよい。単独に設けられる場合に、アンテナを巻くように十分な支点を提供するために、位置規制ピン３１ａ及びクリップ３１ｂのそれぞれの数は、少なくとも２つである。組み合わせて設けられる場合に、位置規制ピン３１ａ及びクリップ３１ｂを組み合わせてもよく、例えば、本実施例において、２つ位置規制ピン３１ａ及び１つのクリップ３１ｂを、図４に示す分布態様に従ってケース内に設ける。リング状の位置規制溝３１ｃ及び３つの位置規制ピン３１ａを組み合わせてもよく、位置規制ピン３１ａをリング状の位置規制溝３１ｃの縁部に設ける。アンテナ４の位置規制、及び／又は固定を図ることができる他の組み立て方を含んでもよく、必要に応じて任意に組み立てることができるため、ここで、他の組み立て方の各々についての説明を省略する。
【００２３】
さらに改善された実施例として、ＰＣＢ基板３４上には、さらに例えば、ＵＳＢモジュールのようなパワー・データモジュール３５が集積されており、対応するケース３上にはパワー・データポートが設けられ、当該モジュール及び当該ポートは、電動ロールスクリーンのモーターに対して充電したり、電源を入れったり、データ通信したりするために用いられ、電動ロールスクリーンのモーターは、充電後に使用されてもよく、稼働中に常に電源が入っている状態であってもよい。
【００２４】
さらに改善された実施例として、ＰＣＢ基板３４上にはモード設定回路３６が集積され、モード設定回路３６は、コードマッチング、方向変更、出荷時のディフォルト設定へのリセットを行うために使用され、コードマッチングすることは、リモートコントローラーに合わせて対応するケース３にもモード設定ボタンが設けられる。
【００２５】
さらに改善された実施例として、ケース３のカーバーには、操作しやすいために電源スイッチ３２のスイッチボタンを露出させるようにスイッチ孔が設けられる。
【００２６】
さらに改善された実施例として、ケース３は、非電磁シールドケースであり、電磁信号を遮蔽しない材料で製造されるケース３、及び／又は電磁漏れ可能な隙間を有するケース３を含み、また、電磁信号を遮蔽しない材料は、例えば、プラスチック、ゴム、ＷＰＣ材などを選択してもよく、これらの材料は、絶縁体、及び／又は非磁性体である。
【００２７】
本考案のもう１つの目的は、内部に上記アンテナが搭載されるモーターストロークヘッドを備える電動ロールスクリーンを提供することであり、図１０〜１１に示されるように、当該モーターストロークヘッドの寸法を変更しなくてもよく、モーターストロークヘッドの取付け位置及び取付け方も変更しなくてもよく、従って、既存する電動ロールスクリーン全体の構成に対して改善する必要がなく、管状のモーターをそのままロールスクリーンのバーに取付け、ロールスクリーンのバーの両端を壁又は他の物体に取付けられるための電動ロールスクリーンの接続部材１に設ける。本考案の電動ロールスクリーンは、カーテン、車のサンシェード、ドアカーテン等に適用されることができ、使用環境の変化によって接続部材１として適宜な部品を選択することができる。
実際の使用中、本考案における電動ロールスクリーンの動作手順は以下のようである。
【００２８】
ロールスクリーン２が巻き取る状態からロールスクリーン２を下す必要がある操作を例として、まず、電動ロールスクリーンを電源オン状態（例えば、パワー・データポートにより電動ロールスクリーンが外部電源に接続され、或いは、電動ロールスクリーンがすでに満充電された状態にあり、電源への接続が不要）にし、電源スイッチをオンして、管状モーターを待機状態にし、その時、モード設定回路３６によって予めロールスクリーン２の昇降位置を設定することができ、勿論、デフォルトモードの操作を採用してもよい。リモートコントローラーからモーター動作信号が送信され、アンテナ４が信号を受信した後、信号をコントローラー３３へフィードバックし、コントローラー３３によって信号を変換した後に管状モーターへ出力すると、管状モーターが動作を起動し、巻きおろし動作を連動してロールスクリーン２を下す。ロールスクリーン２を巻き取ることが必要な場合に、動作プロセスは基本的に類似し、ロールスクリーンの運動方向が逆であるため、ここで説明を省略する。
本考案の実施例に係る材料、試薬及び実験設備は、特に説明しない限り、いずれもロールスクリーン装置分野の市販製品に該当するものである。
【００２９】
上記した内容は、単に本考案の好ましい実施例に過ぎず、当業者にとって、本考案の核心な技術から逸脱しない限りに改善または補正を行うことができ、これらの改善及び補正も本考案の特許範囲内に含まれると理解すべきである。本考案の特許請求の範囲に相当する定義及び範囲内に含まれる任意の変更は、すべて特許請求の範囲に含まれると理解すべきである。
【図１】
0003228553.tif 000003
【図２】
0003228553.tif 000004
【図３】
0003228553.tif 000005
【図４】
0003228553.tif 000006
【図５】
0003228553.tif 000007
【図６】
0003228553.tif 000008
【図７】
0003228553.tif 000009
【図８】
0003228553.tif 000010
【図９】
0003228553.tif 000011
【図１０】
0003228553.tif 000012
【図１１】
0003228553.tif 000013